(57)【要約】【課題】より利便性の良い商品検索システム等のイメージを利用したコンテンツサービスシステム及び方法、並びにそのプログラムソースを記録した記録媒体を提供する。【解決手段】本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに於いて、前記コンテンツサービスサーバーは、データベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力し、前記画面上に出力された最下位項目をクリックする場合、その最上位項目をイメージで出力するイメージ検索／出力モジュールを含んで構成される。【選択図】図１
2004537810.tif 000002
【特許請求の範囲】
【請求項１】
コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに於いて、
前記コンテンツサービスサーバーは、
データベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力し、前記画面上に出力された最下位項目をクリックする場合、その最上位項目をイメージで出力するイメージ検索／出力モジュールを含んで構成されることを特徴とするイメージを利用したコンテンツサービスシステム。
【請求項２】
前記コンテンツサービスサーバーは、
前記コンテンツサービスサーバーとオンライン接続をした使用者によって他の使用者に所定のコンテンツを提供するようにコンテンツ、前記コンテンツを説明するテキスト情報及び前記コンテンツのイメージをデータベースに登録することができるように支援するイメージ登録モジュールをさらに含むことを特徴とする請求項１記載のイメージを利用したコンテンツサービスシステム。
【請求項３】
前記コンテンツサービスサーバーのイメージ検索／出力モジュールによって提供される前記コンテンツイメージはプレビュー窓を通じて出力されるが、前記イメージは所定の方向に移動されながら出力されることを特徴とする請求項１又は請求項２記載のイメージを利用したコンテンツサービスシステム。
【請求項４】
前記イメージ検索／出力モジュールは、
使用者によって前記移動されながら出力されるイメージにマウスポインタが位置する場合、前記イメージに対応して貯蔵されたイメージの詳細情報を画面上にポップアップさせることを特徴とする請求項３記載のイメージを利用したコンテンツサービスシステム。
【請求項５】
前記イメージ検索／出力モジュールは、
使用者が前記移動されながら出力されるイメージをダブルクリックする場合、前記イメージが包含されているウェブページを前記使用者端末機の画面上に出力されるようにすることを特徴とする請求項３記載のイメージを利用したコンテンツサービスシステム。
【請求項６】
前記コンテンツサービスサーバーは、
前記使用者がプレビュー窓を通じて出力されるイメージの移動状態を制御するようにする使用者インタフェースモジュールをさらに含むことを特徴とする請求項３記載のイメージを利用したコンテンツサービスシステム。
【請求項７】
前記使用者インタフェースモジュールは、前記プレビュー窓を通じて所定の方向に移動されているイメージを前記方向とは反対方向に移動されるようにする巻き戻しボタンと、前記巻き戻しボタンによって反対方向に移動されているイメージを元来の方向に移動されるようにするフォワードボタンと、前記イメージ移動速度を早くするファーストボタンと、前記イメージの移動速度を遅くするスローボタンとを提供することを特徴とする請求項６記載のイメージを利用したコンテンツサービスシステム。
【請求項８】
前記コンテンツサービスサーバーのイメージ検索／出力モジュールは、
前記使用者がコンテンツ名を入力して検索を要請する場合、前記コンテンツをデータベースサーバーから検索して、それに当たるイメージらを抽出し、前記抽出されたイメージらを所定の方向に移動させながら出力することを特徴とする請求項１又は請求項２記載のイメージを利用したコンテンツサービスシステム。
【請求項９】
前記イメージ検索／出力モジュールは、
前記使用者が検索項目でコンテンツ名と価格情報を入力して検索を要請する場合、前記コンテンツをデータベースサーバーから抽出し、抽出されたコンテンツの中で前記価格情報に当たるコンテンツのみを抽出して、該当のコンテンツのイメージのみを前記データベースサーバーからローディングして所定の方向に移動させながら出力することを特徴とする請求項１又は請求項２記載のイメージを利用したコンテンツサービスシステム。
【請求項１０】
前記イメージ検索／出力モジュールは、
前記使用者が望むサイトを選択し、検索のためのコンテンツを入力すれば、前記サイトによって提供されるコンテンツのみを抽出し、抽出されたコンテンツのイメージをデータベースサーバーからローディングして所定の方向に移動させながら出力することを特徴とする請求項８記載のイメージを利用したコンテンツサービスシステム。
【請求項１１】
前記プレビュー窓は、
前記プレビュー窓を通じて出力されるイメージのデータベース登録経路を説明するためのメッセージが出力される表示窓をさらに含んでいて、前記イメージが変更される場合、それに対応して前記表示窓のメッセージが変更されることを特徴とする請求項３記載のイメージを利用したコンテンツサービスシステム。
【請求項１２】
コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに於いて、
前記コンテンツサービスサーバーは、
使用者によって選択されたコンテンツのイメージを一定の方向に移動、出力させて、前記使用者が移動、出力されるイメージを出力する場合、それに対する詳細情報を提供し、前記イメージにマウスポインタが位置された状態で前記使用者から貯蔵命令が入力されれば前記イメージに対応するコンテンツ情報を貯蔵するイメージ検索／出力モジュールを含んで構成されることを特徴とするイメージを利用したコンテンツサービスシステム。
【請求項１３】
前記イメージ検索／出力モジュールは、
前記使用者のローディング命令に応じて前記コンテンツを検索する時、貯蔵されたコンテンツ情報からイメージ情報をローディングさせて一定の方向に移動、出力させることを特徴とする請求項１２記載のイメージを利用したコンテンツサービスシステム。
【請求項１４】
前記コンテンツサービスサーバーは、
前記使用者が商品を購買するための商品イメージをクリックする場合、前記クリック回数をカウントして累積させて使用者の選好度情報を生成して、前記生成された選好度情報を利用して選好度リストを生成させてプレビュー窓を通じて提供する選好度チェックモジュールをさらに含むことを特徴とする請求項１２記載のイメージを利用したコンテンツサービスシステム。
【請求項１５】
前記選好度チェックモジュールは、
前記使用者が選好度リストの選好度情報の中で所定の選好度情報にマウスポインタを位置させれば、詳細商品情報がプレビュー窓に表示されるようにすることを特徴とする請求項１４記載のイメージを利用したコンテンツサービスシステム。
【請求項１６】
コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムでのコンテンツサービス方法に於いて、
ウェブ上で提供されるコンテンツのホームページ情報、上位項目に対する情報、下位項目に対する情報、最下位項目に対する情報及びコンテンツのイメージを収集してデータベースサーバーを構築するデータベース構築過程、及び
データベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力し、前記画面上に出力された最下位項目をクリックする場合、その最上位項目をイメージで出力するコンテンツ提供過程で構成されることを特徴とするイメージを利用したコンテンツサービス方法。
【請求項１７】
前記データベース構築過程は、
前記コンテンツサービスサーバーとオンライン接続をした使用者によって他の使用者に所定のコンテンツを提供するようにコンテンツ、前記コンテンツを説明するテキスト情報及び前記コンテンツのイメージをデータベースに登録することができるように支援するイメージ登録過程をさらに含むことを特徴とする請求項１６記載のイメージを利用したコンテンツサービス方法。
【請求項１８】
前記コンテンツ提供過程によって前記使用者に提供される前記コンテンツイメージはプレビュー窓を通じて出力されるが、前記イメージは所定の方向に移動されながら出力されることを特徴とする請求項１６又は請求項１７記載のイメージを利用したコンテンツサービス方法。
【請求項１９】
前記コンテンツ提供過程は、
前記使用者によって前記移動されながら出力されるイメージにマウスポインタが位置する場合、前記イメージに対応して貯蔵されたイメージの詳細な情報を画面上にポップアップさせることを特徴とする請求項１８記載のイメージを利用したコンテンツサービス方法。
【請求項２０】
前記コンテンツ提供過程は、
使用者が前記移動されながら出力されるイメージをダブルクリックする場合、前記イメージが包含されているウェブページを前記使用者端末機の画面上に出力されるようにすることを特徴とする請求項１８記載のイメージを利用したコンテンツサービス方法。
【請求項２１】
前記コンテンツ提供過程は、
前記使用者がプレビュー窓を通じて出力されるイメージの移動状態を制御するようにする使用者インタフェースをさらに提供する過程を含むことを特徴とする請求項１８記載のイメージを利用したコンテンツサービス方法。
【請求項２２】
前記使用者インタフェースを提供する過程は、
前記プレビュー窓を通じて所定の方向に移動されているイメージを前記方向とは反対方向に移動されるようにする巻き戻しボタンと、前記巻き戻しボタンによって反対方向に移動されているイメージを元来の方向に移動されるようにするフォワードボタンと、前記イメージ移動速度を早くするファーストボタンと、前記イメージの移動速度を遅くするスローボタンを提供することを特徴とする請求項２１記載のイメージを利用したコンテンツサービス方法。
【請求項２３】
前記コンテンツ提供過程は、
前記使用者がコンテンツ名を入力して検索を要請する場合、前記コンテンツをデータベースサーバーから検索して、それに当たるイメージらを抽出し、前記抽出されたイメージらを所定の方向に移動させながら出力することを特徴とする請求項１６又は請求項１７記載のイメージを利用したコンテンツサービス方法。
【請求項２４】
前記コンテンツ提供過程は、
前記使用者が検索項目としてコンテンツ名と価格情報を入力して検索を要請する場合、前記コンテンツをデータベースサーバーから抽出し、抽出されたコンテンツの中で前記価格情報に当たるコンテンツのみを抽出して、該当のコンテンツのイメージのみを前記データベースサーバーからローディングして所定の方向に移動させながら出力することを特徴とする請求項１６又は請求項１７記載のイメージを利用したコンテンツサービス方法。
【請求項２５】
前記コンテンツ提供過程は、
前記使用者が望むサイトを選択して、検索のためのコンテンツを入力すれば、前記サイトによって提供されるコンテンツのみを抽出して、抽出されたコンテンツのイメージをデータベースサーバーからローディングして所定の方向に移動させながら出力することを特徴とする請求項２３記載のイメージを利用したコンテンツサービス方法。
【請求項２６】
コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムでのコンテンツサービス方法に於いて、
使用者によって選択されたコンテンツのイメージを一定の方向に移動、出力させて、前記使用者が移動、出力されるイメージを出力する場合、それに対する詳細な情報を提供し、前記イメージにマウスポインタが位置された状態で前記使用者から貯蔵命令が入力されれば前記イメージに対応するコンテンツ情報を貯蔵するイメージ検索／出力過程を含んで構成されることを特徴とするイメージを利用したコンテンツサービス方法。
【請求項２７】
前記イメージ検索／出力過程は
前記使用者のローディング命令に応じて前記コンテンツを検索する時、貯蔵されたコンテンツ情報からイメージ情報をローディングさせて一定の方向に移動、出力させることを特徴とする請求項２６記載のイメージを利用したコンテンツサービス方法。
【請求項２８】
前記使用者が商品を購買するための商品イメージをクリックする場合、前記クリック回数をカウントして累積させて使用者の選好度情報を生成し、前記生成された選好度情報を利用して選好度リストを生成させてプレビュー窓を通じて提供する選好度チェック過程をさらに含むことを特徴とする請求項２６記載のイメージを利用したコンテンツサービス方法。
【請求項２９】
前記選好度チェック過程は、
前記使用者が選好度リストの選好度情報の中で所定の選好度情報にマウスポインタを位置させれば、詳細な商品情報がプレビュー窓に表示されるようにすることを特徴とする請求項２８記載のイメージを利用したコンテンツサービス方法。
【請求項３０】
コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに搭載されたコンテンツサービスプログラムソースを記録した記録媒体に於いて、
ウェブ上で提供されるコンテンツのホームページ情報、上位項目に対する情報、下位項目に対する情報、最下位項目に対する情報及びコンテンツのイメージを収集してデータベースサーバーを構築するデータベース構築プロセス、及び
データベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力して、前記画面上に出力された最下位項目をクリックする場合、その最上位項目をイメージで出力するコンテンツ提供プロセスで構成されることを特徴とするイメージを利用したコンテンツサービスプログラムソースを記録した記録媒体。
【請求項３１】
前記コンテンツ提供プロセスは、
前記コンテンツサービスサーバーとオンライン接続をした使用者によって他の使用者に所定のコンテンツを提供するようにコンテンツ、前記コンテンツを説明するテキスト情報及び前記コンテンツのイメージをデータベースに登録することができるように支援するイメージ登録プロセスをさらに含むことを特徴とする請求項３０記載のイメージを利用したコンテンツサービスプログラムソースを記録した記録媒体。
【請求項３２】
前記コンテンツ提供プロセスによって前記使用者に提供される前記コンテンツイメージはプレビュー窓を通じて出力されるが、前記イメージは所定の方向に移動されながら出力されることを特徴とする請求項３０又は請求項３１記載のイメージを利用したコンテンツサービスプログラムソースを記録した記録媒体。
【請求項３３】
前記コンテンツ提供プロセスは、
前記使用者によって前記移動されながら出力されるイメージにマウスポインタが位置する場合、前記イメージに対応して貯蔵されたイメージの詳細な情報を画面上にポップアップさせることを特徴とする請求項３２記載のイメージを利用したコンテンツサービスプログラムソースを記録した記録媒体。
【請求項３４】
前記コンテンツ提供プロセスは、
使用者が前記移動されながら出力されるイメージをダブルクリックする場合、前記イメージが包含されているウェブページを前記使用者端末機の画面上に出力されるようにすることを特徴とする請求項３２記載のイメージを利用したコンテンツサービスプログラムソースを記録した記録媒体。
【請求項３５】
前記コンテンツ提供プロセスは、
前記使用者がプレビュー窓を通じて出力されるイメージの移動状態を制御するようにする使用者インタフェースをさらに提供するプロセスを含むことを特徴とする請求項３２記載のイメージを利用したコンテンツサービスプログラムソースを記録した記録媒体。
【請求項３６】
前記使用者インタフェースを提供するプロセスは、
前記プレビュー窓を通じて所定の方向に移動されているイメージを前記方向とは反対方向に移動されるようにする巻き戻しボタンと、前記巻き戻しボタンによって反対方向に移動されているイメージを元来の方向に移動されるようにするフォワードボタンと、前記イメージ移動速度を早くするファーストボタンと、前記イメージの移動速度を遅くするスローボタンを提供することを特徴とする請求項３５記載のイメージを利用したコンテンツサービスプログラムソースを記録した記録媒体。
【請求項３７】
前記コンテンツ提供プロセスは、
前記使用者がコンテンツ名を入力して検索を要請する場合、前記コンテンツをデータベースサーバーから検索して、それに当たるイメージらを抽出し、前記抽出されたイメージらを所定の方向に移動させながら出力することを特徴とする請求項３０又は請求項３１記載のイメージを利用したコンテンツサービスプログラムソースを記録した記録媒体。
【請求項３８】
前記コンテンツ提供プロセスは、
前記使用者が検索項目としてコンテンツ名と価格情報を入力して検索を要請する場合、前記コンテンツをデータベースサーバーから抽出し、抽出されたコンテンツの中で前記価格情報に当たるコンテンツのみを抽出して、該当のコンテンツのイメージのみを前記データベースサーバーからローディングして所定の方向に移動させながら出力することを特徴とする請求項３０又は請求項３１記載のイメージを利用したコンテンツサービスプログラムソースを記録した記録媒体。
【請求項３９】
前記コンテンツ提供プロセスは、
前記使用者が望むサイトを選択して、検索のためのコンテンツを入力すれば、前記サイトによって提供されるコンテンツのみを抽出して、抽出されたコンテンツのイメージをデータベースサーバーからローディングして所定の方向に移動させながら出力することを特徴とする請求項３７記載のイメージを利用したコンテンツサービスプログラムソースを記録した記録媒体。
【請求項４０】
コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに搭載されたコンテンツサービスプログラムソースを記録した記録媒体に於いて、
使用者によって選択されたコンテンツのイメージを一定の方向に移動、出力させて、前記使用者が移動、出力されるイメージを出力する場合、それに対する詳細な情報を提供し、前記イメージにマウスポインタが位置された状態で前記使用者から貯蔵命令が入力されれば、前記イメージに対応するコンテンツ情報を貯蔵するイメージ検索／出力プロセスを含んで構成されることを特徴とするイメージを利用したコンテンツサービスプログラムソースを記録した記録媒体。
【請求項４１】
前記イメージ検索／出力プロセスは、
前記使用者のローディング命令に応じて前記コンテンツを検索する時貯蔵されたコンテンツ情報からイメージ情報をローディングさせて一定の方向に移動、出力させることを特徴とする請求項４０記載のイメージを利用したコンテンツサービスプログラムソースを記録した記録媒体。
【請求項４２】
前記使用者が商品を購買するための商品イメージをクリックする場合、前記クリック回数をカウントして累積させて使用者の選好度情報を生成し、前記生成された選好度情報を利用して選好度リストを生成させてプレビュー窓を通じて提供する選好度チェックプロセスをさらに含むことを特徴とする請求項４０記載のイメージを利用したコンテンツサービスプログラムソースを記録した記録媒体。
【請求項４３】
前記選好度チェックプロセスは、
前記使用者が選好度リストの選好度情報の中で所定の選好度情報にマウスポインタを位置させれば、詳細商品情報がプレビュー窓に表示されるようにすることを特徴とする請求項４２記載のイメージを利用したコンテンツサービスプログラムソースを記録した記録媒体。
【発明の詳細な説明】
【技術分野】
【０００１】
本発明はイメージを利用したコンテンツサービスシステム及び方法、並びにそのプログラムソースを記録した記録媒体に関するものである。より詳しくは所定ウェブページ（web page）に含まれているコンテンツの下位項目に対する最下位項目をイメージで出力されるようにするイメージを利用したコンテンツサービスシステム及び方法、並びにそのプログラムソースを記録した記録媒体に関するものである。
【背景技術】
【０００２】
一般的に、ＷＷＷ（World Wide Web）はインターネットに分散している多数の情報をハイパーメディア（hyper media）技術を利用して検索する情報検索システムである。ＷＷＷはクライアント−サーバー（client-server）モデルを利用して、情報を持った方はサーバーを構築して情報を提供し、クライアントはブラウザー（browser）を通じてサーバーにアクセスすることで情報を得る。そして、サーバーはハイパーテキスト表記言語（ＨＴＭＬ；Hyper Text Markup Language）で文書を作る。ハイパーテキスト、映像、音響などさまざまなメディアを含むハイパーメディアはリンク関係で連結されて、このリンクに沿ってお互いに違うサーバー間を容易に移動することができる。
【０００３】
また、ＷＷＷに分散している情報を円滑に検索するために、ＵＲＬ（Universal Resource Locator）というアドレス指定の規格を使う。クライアントはアクセス先をＵＲＬで記述することで情報が貯蔵されたサーバーにアクセスする。ＵＲＬ表現形式は”プロトコル://インターネットアドレス/ディレクトリファイル名”のようになる。
【０００４】
例えば、”http://www.modusa.co.kr/tm/tm.cgl?ac=list”のようなＵＲＬで、”www.modusa.co.kr”は資源が貯蔵されたサーバーのアドレスを意味し、”/tm/tm.cgl?ac=list”はそのサーバー内のディレクトリを意味することで、記号”/”を使って階層的ディレクトリを持つファイルシステムでのディレクトリを指定する。
【０００５】
クライアントがインターネットサイトに接続する過程は次のようである。クライアントのウェブブラウザーを駆動させるようになれば、通常のインターネット接続手段によって前記ウェブブラウザーとインターネットとの物理的な接続が設定される。ここで、ウェブブラウザーは多くのネットワーク及びサーバーサービスに対するアクセスのために基本的にインタフェースされており、エクスプローラ、ネットスケープナビゲーターのようなＨＴＭＬ互換性ウェブブラウザーが広く利用されている。インターネットに接続した後、ウェブブラウザーの使用者がＵＲＬを通じてリンクを明示すれば、クライアントはＵＲＬのホスト名をそのサーバーに割り当てられた特定ネットワークＩＰ（Internet Protocol）アドレスにマップ（map）させるため、ネーミング（naming）サービスに対する要求を行う。そうすると、ネーミングサービスはその要求に応答することができる一つまたはそれ以上のＩＰアドレスのリストを返信する。
【０００６】
このようなアドレスの中の一つを利用して前記ウェブブラウザーはサーバーに対するアクセスを行い、接続されたサーバーはＨＴＭＬによってフォーマッティング（formating）された文書または他の内容をウェブブラウザーに出力する。
【０００７】
ところで、多くのインターネット利用者は、一日に幾回もインターネット検索エンジンの助けによりインターネット上に分散している無限に存在する多数のサイトを検索して情報を獲得している。現在主導的な二つの検索エンジンとしては、ヤフー（Yahoo）とアルタビスタ（Alta Vista）が挙げられる。
【０００８】
ヤフーは受動的にインターネットサイトを分類して索引化するが、これはディレクトリ構造でウェブサイトの適切な分類と高い質のインデックスを生成することができる。ヤフー会社の編集スタップらがインターネットサイトを訪問して分類ディレクトリに該当のサイト住所を登録すれば、一般利用者らがこの分類ディレクトリを捜して望むサイトに接続した後望む情報を捜すためにサイトの下位フォルダやページを検索する。
【０００９】
アルタビスタ（Alta Vista）はヤフーの分類ディレクトリとは相関もなく、サイトに対するキーワードを登録して置くと、一般使用者らは望む情報の含蓄されたキーワードを入力して登録された情報を獲得することができるウェブサイトリスト及びニュースグループ情報を求めることができる。
【発明の開示】
【発明が解決しようとする課題】
【００１０】
しかし、これらの検索エンジンは、サイトのホームページアドレスのみを登録してデータベースで構築されているから、使用者がサイトのディレクトリ内の特定フォルダや下位フォルダを接続しようとする時には、ホームページのメインページ（一般的にindex.html）を通じて特定ページや下位フォルダへ移動しなければならない。
【００１１】
つまり、検索エンジンを通じて該当のサイトのホームページに一旦接続すると、使用者が望む情報や商品購買に対する情報を捜すためにそのサイトの階層的ディレクトリを経て下位フォルダに接続するいわゆる従属的な接続によって検索が遂行されるので、一旦先頭ページに接続した後、それから下位フォルダへ順次に移動しなければならないという不便がある。
【００１２】
また、使用者が特定の項目を分類検索した時、あまりにも多いサイトが検索されてサイト（会社）の信用度や質（quality）の検証に対する優先順位とは相関なく、無作為に現われるから、一般使用者らはその多いサイトをいちいち接続してその内容を確認しなければ、その内容が分からない。このような理由で使用者の時間と努力がたくさん必要となる問題点がある。
【００１３】
例えば、買い手が望む物品の種類、品質、価格などの情報を考慮して商品を購買しようとする場合、一つの商品が一つのインターネットショッピングモール（shopping mall）にだけ展示されているのではなく、多くのショッピングモールに展示されているから、買い手はその商品に対して価格を包含した商品の仕様を比べようとするものである。
【００１４】
このために、多数の該当のショッピングモールのホームページにアクセスした後に該当商品が属した下位フォルダで何回かクリックしなければ、移動することが不可能であり、該当の商品を選択して商品情報を確認することができない。
【００１５】
また、インターネットショッピングモールの数が非常に多いため、ショッピングモールのサイトアドレスを皆確認して該当の商品に対する情報をいちいち確認しなければならないという不便と共に、これによる多くの時間と費用がかなり負担になる問題がある。
【００１６】
そして、使用者らは購買のための商品検索時に、多い商品の中から購買したい品目をショッピングバッグ（shopping bag）に盛って購買意思を明らかにするようになる。しかし、ショッピングバッグに盛った商品中の購買意思が消えた商品に対しては何度も削除しなければならないので、商品を購買しようとする使用者は不便を感じ、もうすこし利便性の良い商品検索システムの提供を要望している。
【００１７】
したがって、本発明の目的は、前述した問題点を解決するように所定ウェブページに含まれているコンテンツの下位項目に対する最下位項目を接続前にイメージで出力されるようにするイメージを利用したコンテンツサービスシステム及び方法、並びにそのプログラムソースを記録した記録媒体の提供にある。
【００１８】
本発明の他の目的は、ウェブ上で一般使用者らと同一にオンライン接続を成した後、コンテンツのイメージを別々にデータベース化して登録させて、一般使用者らに提供されることができるようにするイメージを利用したコンテンツサービスシステム及び方法、並びにそのプログラムソースを記録した記録媒体の提供にある。
【００１９】
本発明のさらに他の目的は、下位フォルダへ接続前にプレビュー窓（プレビューモニタ（Preview Monitor）とも言う。）を通じて現われるイメージをマウスポインタを各項目に位置させて、コンテンツの詳細な情報を得るか、またはクリックして該当のコンテンツが含まれているウェブページに容易にアクセスできるようにするイメージを利用したコンテンツサービスシステム及び方法、並びにそのプログラムソースを記録した記録媒体の提供にある。
【００２０】
本発明のさらに他の目的は、使用者がコンテンツ名を入力すると、まず最初に提供されるコンテンツに関する情報としてイメージを提供することで、使用者は、検索されたコンテンツが所望するコンテンツであるかを正確に認識することが可能になるイメージを利用したコンテンツサービスシステム及び方法、並びにそのプログラムソースを記録した記録媒体の提供にある。
【００２１】
本発明のさらに他の目的は、所定方向に移動されながら出力されるイメージの移動状態を使用者が調整することができるようにするインタフェース手段を提供するイメージを利用したコンテンツサービスシステム及び方法、並びにそのプログラムソースを記録した記録媒体の提供にある。
【００２２】
本発明のさらに他の目的は、一定の速度に移動されながら商品情報をイメージで提供するウェプページで前記イメージにマウスポインタを位置させて貯蔵した後、イメージ提供が完了すれば貯蔵されたイメージを再び見られるようにするイメージを利用したコンテンツサービスシステム及び方法、並びにそのプログラムソースを記録した記録媒体の提供にある。
【００２３】
本発明のさらに他の目的は、プレビュー窓を通じて提供される商品イメージにマウスポインタを位置させれば、商品名をキーワードで利用して類似商品らの使用者選好度順位を提供するイメージを利用したコンテンツサービスシステム及び方法、並びにそのプログラムソースを記録した記録媒体の提供にある。
【課題を解決するための手段】
【００２４】
このような目的を達成するために、本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに於いて、前記コンテンツサービスサーバーは、データベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力し、前記画面上に出力された最下位項目をクリックする場合、その最上位項目をイメージで出力するイメージ検索／出力モジュールを含んで構成されることを特徴とするイメージを利用したコンテンツサービスシステムとして、上述した課題を解決する。
【００２５】
また、前記コンテンツサービスサーバーは、前記コンテンツサービスサーバーとオンライン接続をした使用者によって他の使用者に所定のコンテンツを提供するようにコンテンツ、前記コンテンツを説明するテキスト情報及び前記コンテンツのイメージをデータベースに登録することができるように支援するイメージ登録モジュールをさらに含むことを特徴とするイメージを利用したコンテンツサービスシステムとして、上述した課題を解決する。
【００２６】
また、前記コンテンツサービスサーバーのイメージ検索／出力モジュールによって提供される前記コンテンツイメージはプレビュー窓を通じて出力されるが、前記イメージは所定の方向に移動されながら出力されることを特徴とするイメージを利用したコンテンツサービスシステムとして、上述した課題を解決する。
【００２７】
また、前記イメージ検索／出力モジュールは、使用者によって前記移動されながら出力されるイメージにマウスポインタが位置する場合、前記イメージに対応して貯蔵されたイメージの詳細情報を画面上にポップアップ（pop up）させることを特徴とするイメージを利用したコンテンツサービスシステムとして、上述した課題を解決する。
【００２８】
また、前記イメージ検索／出力モジュールは、使用者が前記移動されながら出力されるイメージをダブルクリック（double click）する場合、前記イメージが包含されているウェブページを前記使用者端末機の画面上に出力されるようにすることを特徴とするイメージを利用したコンテンツサービスシステムとして、上述した課題を解決する。
【００２９】
また、前記コンテンツサービスサーバーは、前記使用者がプレビュー窓を通じて出力されるイメージの移動状態を制御するようにする使用者インタフェースモジュールをさらに含むことを特徴とするイメージを利用したコンテンツサービスシステムとして、上述した課題を解決する。
【００３０】
また、前記使用者インタフェースモジュールは、前記プレビュー窓を通じて所定の方向に移動されているイメージを前記方向とは反対方向に移動されるようにする巻き戻しボタン（rewind button）と、前記巻き戻しボタンによって反対方向に移動されているイメージを元来の方向に移動されるようにするフォワードボタン（forward button）と、前記イメージ移動速度を早くするファーストボタン（fast button）と、前記イメージの移動速度を遅くするスローボタン（slow button）とを提供することを特徴とするイメージを利用したコンテンツサービスシステムとして、上述した課題を解決する。
【００３１】
また、前記コンテンツサービスサーバーのイメージ検索／出力モジュールは、前記使用者がコンテンツ名を入力して検索を要請する場合、前記コンテンツをデータベースサーバーから検索して、それに当たるイメージらを抽出し、前記抽出されたイメージらを所定の方向に移動させながら出力することを特徴とするイメージを利用したコンテンツサービスシステムとして、上述した課題を解決する。
【００３２】
また、前記イメージ検索／出力モジュールは、前記使用者が検索項目でコンテンツ名と価格情報を入力して検索を要請する場合、前記コンテンツをデータベースサーバーから抽出し、抽出されたコンテンツの中で前記価格情報に当たるコンテンツのみを抽出して、該当のコンテンツのイメージのみを前記データベースサーバーからローディングして所定の方向に移動させながら出力することを特徴とするイメージを利用したコンテンツサービスシステムとして、上述した課題を解決する。
【００３３】
また、前記イメージ検索／出力モジュールは、前記使用者が望むサイトを選択し、検索のためのコンテンツを入力すれば、前記サイトによって提供されるコンテンツのみを抽出し、抽出されたコンテンツのイメージをデータベースサーバーからローディングして所定の方向に移動させながら出力することを特徴とするイメージを利用したコンテンツサービスシステムとして、上述した課題を解決する。
【００３４】
また、前記プレビュー窓は、前記プレビュー窓を通じて出力されるイメージのデータベース登録経路を説明するためのメッセージが出力される表示窓をさらに含んでいて、前記イメージが変更される場合、それに対応して前記表示窓のメッセージが変更されることを特徴とするイメージを利用したコンテンツサービスシステムとして、上述した課題を解決する。
【００３５】
また、本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに於いて、前記コンテンツサービスサーバーは、使用者によって選択されたコンテンツのイメージを一定の方向に移動、出力させて、前記使用者が移動、出力されるイメージを出力する場合、それに対する詳細情報を提供し、前記イメージにマウスポインタが位置された状態で前記使用者から貯蔵命令が入力されれば前記イメージに対応するコンテンツ情報を貯蔵するイメージ検索／出力モジュールを含んで構成されることを特徴とするイメージを利用したコンテンツサービスシステムを提供する。
【００３６】
また、前記イメージ検索／出力モジュールは、前記使用者のローディング命令に応じて前記コンテンツを検索する時、貯蔵されたコンテンツ情報からイメージ情報をローディングさせて一定の方向に移動、出力させることを特徴とするイメージを利用したコンテンツサービスシステムとして、上述した課題を解決する。
【００３７】
また、前記コンテンツサービスサーバーは、前記使用者が商品を購買するための商品イメージをクリックする場合、前記クリック回数をカウントして累積させて使用者の選好度情報を生成して、前記生成された選好度情報を利用して選好度リストを生成させてプレビュー窓を通じて提供する選好度チェックモジュールをさらに含むことを特徴とするイメージを利用したコンテンツサービスシステムとして、上述した課題を解決する。
【００３８】
また、前記選好度チェックモジュールは、前記使用者が選好度リストの選好度情報の中で所定の選好度情報にマウスポインタを位置させれば、詳細商品情報がプレビュー窓に表示されるようにすることを特徴とするイメージを利用したコンテンツサービスシステムとして、上述した課題を解決する。
【００３９】
また、本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムでのコンテンツサービス方法に於いて、ウェブ上で提供されるコンテンツのホームページ情報、上位項目に対する情報、下位項目に対する情報、最下位項目に対する情報及びコンテンツのイメージを収集してデータベースサーバーを構築するデータベース構築過程、及びデータベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力し、前記画面上に出力された最下位項目をクリックする場合、その最上位項目をイメージで出力するコンテンツ提供過程で構成されることを特徴とするイメージを利用したコンテンツサービス方法を提供する。
【００４０】
また、前記データベース構築過程は、前記コンテンツサービスサーバーとオンライン接続をした使用者によって他の使用者に所定のコンテンツを提供するようにコンテンツ、前記コンテンツを説明するテキスト情報及び前記コンテンツのイメージをデータベースに登録することができるように支援するイメージ登録過程をさらに含むことを特徴とするイメージを利用したコンテンツサービス方法として、上述した課題を解決する。
【００４１】
また、前記コンテンツ提供過程によって前記使用者に提供される前記コンテンツイメージはプレビュー（Preview）窓を通じて出力されるが、前記イメージは所定の方向に移動されながら出力されることを特徴とするイメージを利用したコンテンツサービス方法として、上述した課題を解決する。
【００４２】
また、前記コンテンツ提供過程は、前記使用者によって前記移動されながら出力されるイメージにマウスポインタが位置する場合、前記イメージに対応して貯蔵されたイメージの詳細な情報を画面上にポップアップさせることを特徴とするイメージを利用したコンテンツサービス方法として、上述した課題を解決する。
【００４３】
また、前記コンテンツ提供過程は、使用者が前記移動されながら出力されるイメージをダブルクリックする場合、前記イメージが包含されているウェブページを前記使用者端末機の画面上に出力されるようにすることを特徴とするイメージを利用したコンテンツサービス方法として、上述した課題を解決する。
【００４４】
また、前記コンテンツ提供過程は、前記使用者がプレビュー窓を通じて出力されるイメージの移動状態を制御するようにする使用者インタフェースをさらに提供する過程を含むことを特徴とするイメージを利用したコンテンツサービス方法として、上述した課題を解決する。
【００４５】
また、前記使用者インタフェースを提供する過程は、前記プレビュー窓を通じて所定の方向に移動されているイメージを前記方向とは反対方向に移動されるようにする巻き戻しボタン（rewind button）と、前記巻き戻しボタンによって反対方向に移動されているイメージを元来の方向に移動されるようにするフォワードボタン（forward button）と、前記イメージ移動速度を早くするファーストボタン（fast button）と、前記イメージの移動速度を遅くするスローボタン（slow button）を提供することを特徴とするイメージを利用したコンテンツサービス方法として、上述した課題を解決する。
【００４６】
また、前記コンテンツ提供過程は、前記使用者がコンテンツ名を入力して検索を要請する場合、前記コンテンツをデータベースサーバーから検索して、それに当たるイメージらを抽出し、前記抽出されたイメージらを所定の方向に移動させながら出力することを特徴とするイメージを利用したコンテンツサービス方法として、上述した課題を解決する。
【００４７】
また、前記コンテンツ提供過程は、前記使用者が検索項目としてコンテンツ名と価格情報を入力して検索を要請する場合、前記コンテンツをデータベースサーバーから抽出し、抽出されたコンテンツの中で前記価格情報に当たるコンテンツのみを抽出して、該当のコンテンツのイメージのみを前記データベースサーバーからローディングして所定の方向に移動させながら出力することを特徴とするイメージを利用したコンテンツサービス方法として、上述した課題を解決する。
【００４８】
また、前記コンテンツ提供過程は、前記使用者が望むサイトを選択して、検索のためのコンテンツを入力すれば、前記サイトによって提供されるコンテンツのみを抽出して、抽出されたコンテンツのイメージをデータベースサーバーからローディングして所定の方向に移動させながら出力することを特徴とするイメージを利用したコンテンツサービス方法として、上述した課題を解決する。
【００４９】
また、本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムでのコンテンツサービス方法に於いて、使用者によって選択されたコンテンツのイメージを一定の方向に移動、出力させて、前記使用者が移動、出力されるイメージを出力する場合、それに対する詳細な情報を提供し、前記イメージにマウスポインタが位置された状態で前記使用者から貯蔵命令が入力されれば前記イメージに対応するコンテンツ情報を貯蔵するイメージ検索／出力過程を含んで構成されることを特徴とするイメージを利用したコンテンツサービス方法を提供する。
【００５０】
また、前記イメージ検索／出力過程は、前記使用者のローディング命令に応じて前記コンテンツを検索する時、貯蔵されたコンテンツ情報からイメージ情報をローディングさせて一定の方向に移動、出力させることを特徴とするイメージを利用したコンテンツサービス方法として、上述した課題を解決する。
【００５１】
また、前記使用者が商品を購買するための商品イメージをクリックする場合、前記クリック回数をカウントして累積させて使用者の選好度情報を生成し、前記生成された選好度情報を利用して選好度リストを生成させてプレビュー窓を通じて提供する選好度チェック過程をさらに含むことを特徴とするイメージを利用したコンテンツサービス方法として、上述した課題を解決する。
【００５２】
また、前記選好度チェック過程は、前記使用者が選好度リストの選好度情報の中で所定の選好度情報にマウスポインタを位置させれば、詳細な商品情報がプレビュー窓にディスプレーされるようにすることを特徴とするイメージを利用したコンテンツサービス方法として、上述した課題を解決する。
【００５３】
また、本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに搭載されたコンテンツサービスプログラムソースを記録した記録媒体に於いて、ウェブ上で提供されるコンテンツのホームページ情報、上位項目に対する情報、下位項目に対する情報、最下位項目に対する情報及びコンテンツのイメージを収集してデータベースサーバーを構築するデータベース構築プロセス、及びデータベースサーバーに登録されたコンテンツの上位項目を所定の配列で配置して使用者の利用するようにするウェブページ上で前記上位項目に包含されている下位項目をクリックする場合、前記下位項目に包含されている最下位項目らを画面上に出力して、前記画面上に出力された最下位項目をクリックする場合、その最上位項目をイメージで出力するコンテンツ提供プロセスで構成されることを特徴とするイメージを利用したコンテンツサービスプログラムソースを記録した記録媒体を提供する。
【００５４】
また、前記コンテンツ提供プロセスは、前記コンテンツサービスサーバーとオンライン接続をした使用者によって他の使用者に所定のコンテンツを提供するようにコンテンツ、前記コンテンツを説明するテキスト情報及び前記コンテンツのイメージをデータベースに登録することができるように支援するイメージ登録プロセスをさらに含むことを特徴とするイメージを利用したコンテンツサービスプログラムソースを記録した記録媒体として、上述した課題を解決する。
【００５５】
また、前記コンテンツ提供プロセスによって前記使用者に提供される前記コンテンツイメージはプレビュー（Preview）窓を通じて出力されるが、前記イメージは所定の方向に移動されながら出力されることを特徴とするイメージを利用したコンテンツサービスプログラムソースを記録した記録媒体として、上述した課題を解決する。
【００５６】
また、前記コンテンツ提供プロセスは、前記使用者によって前記移動されながら出力されるイメージにマウスポインタが位置する場合、前記イメージに対応して貯蔵されたイメージの詳細な情報を画面上にポップアップさせることを特徴とするイメージを利用したコンテンツサービスプログラムソースを記録した記録媒体として、上述した課題を解決する。
【００５７】
また、前記コンテンツ提供プロセスは、使用者が前記移動されながら出力されるイメージをダブルクリックする場合、前記イメージが包含されているウェブページを前記使用者端末機の画面上に出力されるようにすることを特徴とするイメージを利用したコンテンツサービスプログラムソースを記録した記録媒体として、上述した課題を解決する。
【００５８】
また、前記コンテンツ提供プロセスは、前記使用者がプレビュー窓を通じて出力されるイメージの移動状態を制御するようにする使用者インタフェースをさらに提供するプロセスを含むことを特徴とするイメージを利用したコンテンツサービスプログラムソースを記録した記録媒体として、上述した課題を解決する。
【００５９】
また、前記使用者インタフェースを提供するプロセスは、前記プレビュー窓を通じて所定の方向に移動されているイメージを前記方向とは反対方向に移動されるようにする巻き戻しボタン（rewind button）と、前記巻き戻しボタンによって反対方向に移動されているイメージを元来の方向に移動されるようにするフォワードボタン（forward button）と、前記イメージ移動速度を早くするファーストボタン（fast button）と、前記イメージの移動速度を遅くするスローボタン（slow button）を提供することを特徴とするイメージを利用したコンテンツサービスプログラムソースを記録した記録媒体として、上述した課題を解決する。
【００６０】
また、前記コンテンツ提供プロセスは、前記使用者がコンテンツ名を入力して検索を要請する場合、前記コンテンツをデータベースサーバーから検索して、それに当たるイメージらを抽出し、前記抽出されたイメージらを所定の方向に移動させながら出力することを特徴とするイメージを利用したコンテンツサービスプログラムソースを記録した記録媒体として、上述した課題を解決する。
【００６１】
また、前記コンテンツ提供プロセスは、前記使用者が検索項目としてコンテンツ名と価格情報を入力して検索を要請する場合、前記コンテンツをデータベースサーバーから抽出し、抽出されたコンテンツの中で前記価格情報に当たるコンテンツのみを抽出して、該当のコンテンツのイメージのみを前記データベースサーバーからローディングして所定の方向に移動させながら出力することを特徴とするイメージを利用したコンテンツサービスプログラムソースを記録した記録媒体として、上述した課題を解決する。
【００６２】
また、前記コンテンツ提供プロセスは、前記使用者が望むサイトを選択して、検索のためのコンテンツを入力すれば、前記サイトによって提供されるコンテンツのみを抽出して、抽出されたコンテンツのイメージをデータベースサーバーからローディングして所定の方向に移動させながら出力することを特徴とするイメージを利用したコンテンツサービスプログラムソースを記録した記録媒体として、上述した課題を解決する。
【００６３】
また、本発明は、コンテンツの上位項目でなるウェブページと、前記上位項目ウェブページに対応する複数の下位項目らでなるウェブページと、前記下位項目ウェブページに対応する複数の最上位項目らでなるウェブページとを多段階で分けて、使用者が前記各項目らをクリックする毎に、下位項目でなるウェブページを使用者端末機へ伝送するコンテンツサービスサーバーを含むコンテンツサービスシステムに搭載されたコンテンツサービスプログラムソースを記録した記録媒体に於いて、使用者によって選択されたコンテンツのイメージを一定の方向に移動、出力させて、前記使用者が移動、出力されるイメージを出力する場合、それに対する詳細な情報を提供し、前記イメージにマウスポインタが位置された状態で前記使用者から貯蔵命令が入力されれば、前記イメージに対応するコンテンツ情報を貯蔵するイメージ検索／出力プロセスを含んで構成されることを特徴とするイメージを利用したコンテンツサービスプログラムソースを記録した記録媒体を提供する。
【００６４】
また、前記イメージ検索／出力プロセスは、前記使用者のローディング命令に応じて前記コンテンツを検索する時貯蔵されたコンテンツ情報からイメージ情報をローディングさせて一定の方向に移動、出力させることを特徴とするイメージを利用したコンテンツサービスプログラムソースを記録した記録媒体として、上述した課題を解決する。
【００６５】
また、前記使用者が商品を購買するための商品イメージをクリックする場合、前記クリック回数をカウントして累積させて使用者の選好度情報を生成し、前記生成された選好度情報を利用して選好度リストを生成させてプレビュー窓を通じて提供する選好度チェックプロセスをさらに含むことを特徴とするイメージを利用したコンテンツサービスプログラムソースを記録した記録媒体として、上述した課題を解決する。
【００６６】
また、前記選好度チェックプロセスは、前記使用者が選好度リストの選好度情報の中で所定の選好度情報にマウスポインタを位置させれば、詳細商品情報がプレビュー窓に表示されるようにすることを特徴とするイメージを利用したコンテンツサービスプログラムソースを記録した記録媒体として、上述した課題を解決する。
【発明の効果】
【００６７】
上述したように、本発明は所定のウェブページに含まれているコンテンツの下位項目に対する最下位項目をイメージで出力されるようにして、使用者が望む商品（コンテンツ）を正確に選択することができるという效果を提供する。
【００６８】
また、本発明はウェブ上で一般使用者らと同一にオンライン接続を成した後、コンテンツのイメージを登録させて、一般使用者らに提供されることができるようにして、サーバーが存在しない所でも望む商品（コンテンツ）を登録させることができるようにする效果を提供する。
【００６９】
また、本発明はイメージをクリックして、コンテンツの詳細な情報を得るか、またはダブルクリックして該当のコンテンツが含まれているウェブページにすぐアクセスされるようにして、多数回のクリック過程を省略することによって、検索して望むウェブページを提供受けるのに必要となる時間を減らすことができるという效果を提供する。
【００７０】
また、本発明はホームページ（home page）、分類項目（新商品、イベント商品、企画商品、在庫商品）、コンテンツ名及び価格を少なくともーつ以上入力して望む商品（コンテンツ）を検索し、提供を受けることができるようにして所望するサービスの提供をいっぺんに受けることができるという效果を提供する。
【００７１】
また、本発明は所定の方向に移動されながら出力されるイメージの移動状態を使用者が調整することができるようにするインタフェース手段を提供することによって、使用者は出力されるイメージを詳細に観察することができるという效果を提供する。
【００７２】
また、本発明は一定の速度に移動されながら商品情報をイメージで提供するウェプページで前記イメージにマウスポインタを位置させて貯蔵した後、イメージ提供が完了すれば、貯蔵されたイメージをまた見られるようにして、使用者は、自分が選択した商品に対して価格及びデザイン（design）をもう一度比べて見られるようにする效果を逹成する。
【００７３】
また、本発明はプレビュー窓を通じて提供される商品イメージにマウスポインタを位置させれば、商品名をキーワードとして使用して類似商品の使用者の選好度順位を提供することで使用者が購買決定力を向上させるようにする效果を逹成する。
【発明を実施するための最良の形態】
【００７４】
以下、本発明の好適な一実施形態について図面を参酌しつつ説明する。
【００７５】
本発明はウェブサイトを通じて提供される多くのコンテンツをイメージと一緒にデータベースサーバーに構築して、前記データベースサーバーに登録されたコンテンツを検索して、検索された情報をクリックする場合、イメージで出力して正確にコンテンツを検索することができるイメージを利用したコンテンツサービスシステムを望ましい実施形態として提案する。
【００７６】
本発明の望ましい実施形態は本発明の方法を行うようにプログラムされたコンピューターシステム及びコンピュータープログラム製品のような実施形態を含む。コンピューターシステムの実施形態によれば、方法を行うための命令語セットは一つまたはその以上のメモリーに常在して、これら命令語セットはＣＤ−ＲＯＭなどのような記録媒体にコンピュータープログラム製品として貯蔵することができる。
【００７７】
まず、図１は本発明によるイメージを利用したコンテンツサービスシステムを説明するための図面である。
【００７８】
図１に図示されたように、ネットワーク通信網１００は有無線通信網を皆含んでいるし、後述するコンテンツサービスサーバー１１０に使用者端末機１３０の使用者がオンライン接続を成し、コンテンツサービスサーバー１１０で提供する情報を検索するように通信環境を提供する。
【００７９】
コンテンツサービスサーバー１１０は前記使用者がプレビュー窓を通じて出力されるイメージの移動状態を制御するようにする使用者インタフェースモジュール１１１と、データベースサーバー１２０に登録されたコンテンツの上位項目を所定の配列に配置して使用者の利用するようにするウェブページ上で前記上位項目に含まれている下位項目をクリック（click）する場合、前記下位項目に含まれている最下位項目らを画面上に出力し、前記画面上に出力された最下位項目をクリックする場合、その最上位項目をイメージで出力するイメージ検索／出力モジュール１１２と、前記コンテンツサービスサーバー１１０とオンライン接続を成した使用者によって他の使用者に所定のコンテンツを提供するように、コンテンツ、前記コンテンツを説明するテキスト情報及び前記コンテンツのイメージをデータベースに登録することができるように支援するイメージ登録モジュール１１３とで構成される。
【００８０】
前記コンテンツサービスサーバー１１０のイメージ検索／出力モジュール１１２によって提供される前記コンテンツイメージはプレビュー（preview）窓を通じて出力されるが、前記イメージは所定の方向に移動されながら出力される。
【００８１】
前記使用者インタフェースモジュール１１１は前記プレビュー窓を通じて所定の方向に移動されているイメージを前記方向とは反対方向に移動されるようにする巻き戻し（rewind）ボタンと、前記巻き戻しボタンによって反対方向に移動されているイメージを元来の方向に移動されるようにするフォワードボタン（forward button）と、前記イメージの移動速度を早くするファーストボタン（fast button）と、前記イメージの移動速度を遅くするスローボタン（slow button）とを提供する。
【００８２】
前記イメージ検索／出力モジュール１１２は使用者によって前記移動されながら出力されるイメージにマウスポインタが位置する場合、前記イメージに対応して貯蔵されたイメージの詳細情報を画面上にポップアップ（pop up）させる。
【００８３】
前記イメージ検索／出力モジュール１１２は使用者が前記移動されながら出力されるイメージをダブルクリック（double click）する場合、前記イメージが含まれているウェブページを前記使用者端末機の画面上に出力されるようにする。
【００８４】
前記コンテンツサービスサーバー１１０のイメージ検索／出力モジュール１１２は前記使用者がコンテンツ名を入力して検索を要請する場合、前記コンテンツをデータベースサーバー１２０から検索して、これに当たるイメージらを抽出して、前記抽出されたイメージらを所定の方向に移動させながら出力する。
【００８５】
前記イメージ検索／出力モジュール１１２は前記使用者が検索項目としてコンテンツ名と価格情報を入力して検索を要請する場合、前記コンテンツをデータベースサーバー１２０から抽出して、抽出されたコンテンツの中で前記価格情報に当たるコンテンツのみを抽出して、該当のコンテンツのイメージのみを前記データベースサーバー１２０からローディングして所定方向に移動させながら出力する。
【００８６】
前記イメージ検索／出力モジュール１１２は使用者によって前記移動されながら出力されるイメージにマウスポインタが位置する場合、前記イメージに対応して貯蔵されたイメージの詳細情報を画面上にポップアップさせる。
【００８７】
前記イメージ検索／出力モジュール１１２は前記使用者が望むサイトを選択し、検索のためのコンテンツを入力すれば、前記サイトによって提供されるコンテンツのみを抽出して、抽出されたコンテンツのイメージをデータベースサーバー１２０からローディングして所定の方向に移動させながら出力する。
【００８８】
前記プレビュー窓（図６の２０３）は前記プレビュー窓（図６の２０３）を通じて出力されるイメージのデータベース登録経路を説明するためのメッセージが出力される表示窓（図６の２０１）をさらに含んでいて、前記イメージが変更される場合、それに対応して前記表示窓２０１のメッセージが変更される。
【００８９】
図６乃至図８は前記使用者端末機１３０に提供される画面である。図６の画面は前記使用者端末機１３０に搭載されたウェブブラウザーを利用してオンライン接続時、最初に提供される画面である。符号２００は検索窓を示し、コンテンツの分類項目、すなわち、新商品、イベント商品、企画商品及び在庫商品の中の一つを選択して、商品名の検索窓２００に提供を受けようとするコンテンツの名称を入力して、価格入力欄に価格を入力すれば、イメージ検索／出力モジュール（図１の１１２）は前記分類項目、コンテンツ名及び価格をキーワードとして、三種類のキーワードに同時に満足するコンテンツをイメージにローディングしてプレビュー窓２０３に出力する。
【００９０】
符号２０４は前記プレビュー窓２０３を通じて出力されるイメージの動作状態を制御するボタンらで成り立った窓であり、前記ボタンらに対しては前記で詳細に説明したので、ここでは省略することにする。符号２０５は登録窓として、前記データベースサーバー（図１の１２０）に登録されるコンテンツ、コンテンツに対する情報及びコンテンツのイメージを登録することができるように支援する。
【００９１】
符号２０６はホームページリストを示し、前記検索語を利用してコンテンツイメージの提供を受けようとする場合、前記ホームページリスト２０６の中で所定のホームページを選択すれば、前記選択されたホームページを通じて提供されるコンテンツに限ってだけ提供される。
【００９２】
符号２０７は前記ホームページリスト２０６のホームページに提供するコンテンツの上位項目を分類して生成した分類図表であり、符号２０９は前記上位項目に含まれている下位項目をポップアップ方式で提供を受けるための窓である。
【００９３】
図７の画面は前記符号２０９のようなホームページ'サムソング（Samsung mall）'と家電ＡＶカメラが交差される地点にある窓にマウスポインタを位置させる場合、生成されるポップアップ窓２０８として、上位項目”Electronics”の下位項目である”冷蔵庫/キムチカメ、音響家電、ホームシアター、カメラ/キャムコーダ、冷蔵庫/キムチカメ、生活家電/洗濯機、キッチン家電、健康家電”を提供する。
【００９４】
図８の画面は前記図７のポップアップ窓２０８で前記使用者がマウスポインタを音響家電２１０に位置した場合、イメージ検索／出力モジュール（図１の１１２）はデータベースサーバー（図１の１２０）から”サムソングモール”、”家電ＡＶカメラ”、”音響家電”を全て充足するコンテンツのイメージをローディングして前記プレビュー窓２０３に出力されるようにすることを示す図面である。
【００９５】
図２乃至図５は本発明によるイメージを利用したコンテンツサービスシステムのサービス動作を説明するためのフローチャートである。
【００９６】
図２乃至図５を参照すれば、本発明はウェブ上で提供されるコンテンツのホームページ情報、上位項目に対する情報、下位項目に対する情報、最下位項目に対する情報及びコンテンツのイメージを収集してデータベースサーバーを構築するデータベース構築過程（Ｓ１００）と、データベースサーバーに登録されたコンテンツの上位項目を所定の配列で配置して使用者の利用するようにするウェブページ上で、前記上位項目に含まれている下位項目をクリックする場合、前記下位項目に含まれている最下位項目らを画面上に出力し、前記画面上に出力された最下位項目をクリックする場合、その最上位項目をイメージで出力するコンテンツ提供過程（Ｓ２００）とで構成される。
【００９７】
前記Ｓ１００過程は前記コンテンツサービスサーバー１１０とオンライン接続を成した使用者によって他の使用者に所定のコンテンツを提供するように、コンテンツ、前記コンテンツを説明するテキスト情報及び前記コンテンツのイメージをデータベースに登録することができるように支援するイメージ登録過程等（Ｓ１１０〜Ｓ１５０）でなる。
【００９８】
前記コンテンツ提供過程（Ｓ２００）の一実施形態は前記使用者により前記移動されながら出力されるイメージにマウスポインタが位置する場合、前記イメージに対応して貯蔵されたイメージの詳細情報を画面上にポップアップさせ、前記使用者が前記移動されながら出力されるイメージをダブルクリックする場合、前記イメージが含まれているウェブページを前記使用者端末機１３０の画面上に出力されるようにする過程等（Ｓ２１１〜Ｓ２２５）でなる。
【００９９】
一方、コンテンツ提供過程（Ｓ２００）の他の実施形態は前記使用者がコンテンツ名を入力して検索を要請する場合、前記コンテンツをデータベースサーバーから検索して、それに当たるイメージらを抽出して、前記抽出されたイメージらを所定の方向に移動させながら出力し、前記使用者が検索項目としてコンテンツ名と価格情報を入力して検索を要請する場合、前記コンテンツをデータベースサーバーから抽出して、抽出されたコンテンツの中で前記価格情報に当たるコンテンツのみを抽出して、該当のコンテンツのイメージのみを前記データベースサーバーからローディングして所定方向に移動させながら出力し、前記使用者が望むサイトを選択して、検索のためのコンテンツを入力すれば、前記サイトによって提供されるコンテンツのみを抽出して、抽出されたコンテンツのイメージをデータベースサーバーからローディングして所定の方向に移動させながら出力する過程等（Ｓ３１０〜Ｓ３２２）でなる。
【０１００】
図１のように構成されたイメージを利用したコンテンツサービスシステムで検索されたコンテンツをイメージで提供受けることができるようにする過程を図１乃至図６を参照して詳細に説明すれば次のようである。
【０１０１】
［データベースの構築ルーチン］
図２に図示したように、コンテンツサービスサーバー１１０にオンライン（on-line）接続を成した使用者は図６のような初期画面を使用者端末機１３０で提供を受ける
【０１０２】
前記使用者はマウスを利用して登録要請ボタン（図６乃至図８の２０５）をクリックすれば、コンテンツサービスサーバー１１０のイメージ登録モジュール１１３はこれを判断して（Ｓ１１０）、前記使用者が他の使用者に提供されるコンテンツ名、コンテンツを説明するためのテキスト情報を作成し、コンテンツのイメージなどを添付して登録要請ができる登録窓を出力する（Ｓ１２０）。そして、前記使用者は登録窓を通じてデータベースサーバー１２０に登録させるすべての情報を入力した後、登録ボタン（未図示）をクリックすれば、イメージ登録モジュール１１３は前記登録窓を通じて入力された情報をデータベースサーバー１２０に登録させる（Ｓ１５０）。もし、前記使用者によって所定時間、登録ボタンがクリックされなかった場合や取り消しボタンがクリックされたと判断した場合（Ｓ１４０のはい）は、初期画面へ復帰する。
【０１０３】
一方、前記述したように、コンテンツを提供しようとする使用者が登録することもできるが、コンテンツサービスサーバー１１０の運営者がウェブサイトをウェブサーフィン（web surfing）しながら望む情報を獲得し、これを編集して前記データベースサーバー１２０に登録させて使用者らに提供することもできる。
【０１０４】
［コンテンツ提供ルーチンの第一の実施形態］
使用者が使用者端末機１３０に搭載されたウェブブラウザーを駆動させてイメージを利用してコンテンツサービスを提供するサーバー１１０へオンライン接続を試みれば（Ｓ２１１）、前記コンテンツサービスサーバー１１０は接続されたかを判断して（Ｓ２１２）、接続された場合、テキストとイメージでコンテンツを提供受けることができる初期画面（図６参照）をネットワーク通信網１００を通じて使用者端末機１３０に送信されて画面上に出力（Ｓ２１４）されるようにする。もし、前記Ｓ２１２過程の判断結果、オンライン接続がなされない場合、エラーメッセージが使用者端末機１３０の画面上に出力されるようにする。
【０１０５】
一方、前記使用者は使用者端末機１３０に接続されたマウスを利用して画面上でマウスポインタの位置を変更しながらコンテンツを選択するようになるが、コンテンツサービスサーバー１１０のイメージ検索／出力モジュール１１２は前記マウスポインタの位置を認識し、前記マウスポインタの位置値に対応してデータベースサーバー１２０に登録されたテキスト情報が存在するかを確認する（Ｓ２１５）。
【０１０６】
前記Ｓ２１５過程の確認結果、データベースサーバー１２０にテキスト情報が存在（Ｓ２１６）する場合、イメージ検索／出力モジュール１１２はテキスト情報を読んでコンテンツの下位項目らをポップアップ窓（図７または図８の２０８）を通じて提供する（Ｓ２１６）。
【０１０７】
そして、イメージ検索／出力モジュール１１２は前記使用者がポップアップ窓（図７または図８の２０８）を通じて提供される下位項目らの中で所定の下位項目を選択したかを判断する（Ｓ２１７）。前記Ｓ２１７過程の判断結果、下位項目の中で一つの下位項目が選択された場合、選択された下位項目に対応してデータベースサーバー１２０に登録されたイメージが存在するかを確認する（Ｓ２１８）。
【０１０８】
イメージ検索／出力モジュール１１２は前記Ｓ２１８過程を通じてチェックして、データベースサーバー１２０にイメージが存在するかを判断する（Ｓ２１９）。判断の結果イメージが存在する場合、前記イメージをデータベースサーバー１２０からローディングしてプレビュー（preview）窓（図６乃至図８の２０３）を通じて出力する（Ｓ２２０）。もしデータベースサーバー１２０に登録されたイメージが存在しない場合、イメージ検索／出力モジュール１１２はプレビュー窓２０３を通じて”登録されたイメージがありません”のような案内メッセージを出力する（Ｓ２２１）。
【０１０９】
この時、プレビュー窓２０３のイメージは右側から左側方向に移動しながら出力され、プレビュー窓２０３の一側面には、巻き戻しボタン（rewind button）、フォワードボタン（forward button）、遅く進行するスローボタン（slow button）及び早く進行させるファーストボタン（fast button）のようなイメージ動作の制御ボタンらを有する窓２０４が具備されている。
【０１１０】
イメージ検索／出力モジュール１１２は前記使用者がプレビュー窓２０３へローディングされているイメージを一度クリックしたかを判断する（Ｓ２２２）。判断の結果、一度クリックした場合はイメージに対応して貯蔵されたテキスト情報をポップアップ方式に出力（Ｓ２２４）した後にメインで復帰する。
【０１１１】
一方、一度のクリックでない場合、前記使用者がプレビュー窓２０３を通じて出力されるイメージを二度クリックしたかを判断して（Ｓ２２３）、二度クリックした場合は選択されたコンテンツを持つ画面を呼び出して前記使用者端末機１３０の画面上に出力されるようにする（Ｓ２２５）。
【０１１２】
［コンテンツ提供ルーチンの他の実施形態］
図５は本発明のさらに他の実施形態によるイメージを利用したコンテンツサービスシステムのサービス動作を説明するためのフローチャートである。
【０１１３】
図５に図示されたように、使用者が使用者端末機１３０に搭載されたウェブブラウザーを駆動させてイメージを利用してコンテンツサービスを提供するサーバー１１０でオンライン接続を成した場合、前記使用者端末機１３０の画面上にはネットワーク通信網１００を通じて送信されたテキストとイメージでコンテンツを提供受けることができる初期画面（図６参照）が出力される（Ｓ３１０）。
【０１１４】
そして、イメージ検索／出力モジュール１１２は使用者が初期画面の検索窓２００のコンテンツ名の入力欄にコンテンツ名を入力したかを判断する（Ｓ３１１）。それから、前記使用者がコンテンツ名を入力した場合、前記コンテンツの価格が検索窓２００の価格入力欄を通じて入力されたかを判断する（Ｓ３１２）。
【０１１５】
前記Ｓ３１２過程の判断結果、コンテンツ名及びコンテンツ価格が入力された場合、検索（図６の２００に含まれている’go’）ボタンがクリックされたかを判断する（Ｓ３１３）。一方、前記Ｓ３１２過程の判断結果コンテンツ名だけが入力された場合、イメージ検索／出力モジュール１１２は前記コンテンツ名をキーワードとして使用することによってデータベースサーバー１２０に登録されたコンテンツを抽出する（Ｓ３１４）。その後、抽出されたコンテンツのイメージをデータベースサーバー１２０からローディングしてプレビュー窓２０３を通じて出力されるようにする過程を遂行する（Ｓ３１８）。
【０１１６】
そして、前記Ｓ３１３過程の判断結果、検索ボタンをクリックした場合、前記イメージ検索／出力モジュール１１２は前記使用者によって新商品、イベント商品、企画商品または在庫商品の中で一つの商品が選択されたかを判断する（Ｓ３１５）。
【０１１７】
前記Ｓ３１５過程の判断結果、分類項目が選択されない場合、イメージ検索／出力モジュール１１２はコンテンツ名と価格をキーワードによってデータベースサーバー１２０に登録されたコンテンツを抽出する（Ｓ３１６）。その後、抽出されたコンテンツのイメージをデータベースサーバー１２０からローディングしてプレビュー窓２０３を通じて出力されるようにする過程を遂行する（Ｓ３１８）。
【０１１８】
そして、前記Ｓ３１５過程の判断結果、コンテンツの分類項目（新商品、イベント商品、企画商品、在庫商品中、いずれの一つ）が選択された場合、イメージ検索／出力モジュール１１２は選択された分類項目、入力されたコンテンツ名及び価格をキーワードによってデータベースサーバー１２０に登録されたコンテンツを抽出する（Ｓ３１７）。その後、抽出されたコンテンツのイメージをデータベースサーバー１２０からローディングしてプレビュー窓２０３を通じて出力されるようにする過程を遂行する（Ｓ３１８）。
【０１１９】
一方、イメージ検索／出力モジュール１１２は前記使用者がプレビュー窓２０３にローディングされているイメージを一度クリックしたかを判断する（Ｓ３１９）。判断の結果、一度クリックした場合はイメージに対応して貯蔵されたテキスト情報をポップアップ方式によってポップアップ窓（図７または図８の２０８）を通じて出力した（Ｓ３２１）後、メインで復帰する。
【０１２０】
一方、一度のクリックでない場合、前記使用者がプレビュー窓２０３を通じて出力されるイメージを二度クリックしたかを判断して（Ｓ３２０）、二度クリックした場合は選択されたコンテンツを持つ画面を呼び出して前記使用者端末機１３０の画面上に出力されるようにする（Ｓ３２２）。
【０１２１】
図９は本発明のさらに他の実施形態によるイメージを利用したコンテンツサービスシステムを説明するための図面である。
【０１２２】
図９で使用者インタフェースモジュール１１１は巻き戻しボタン（rewind button）、フォワードボタン（forward button）、スローボタン（slow button）及びファーストボタン（fast button）によってプレビュー窓を通じて所定の方向に移動されるイメージにマウスポインタを位置させた後、選択して貯蔵されるようにする。
【０１２３】
そして、イメージの検索以後に再選択がなされば前記貯蔵されたイメージがプレビュー窓を通じて再出力されるようにする貯蔵ボタン（store）をさらに提供する。
【０１２４】
選好度チェックモジュール１１４は前記使用者が商品を購買するための商品イメージをクリックする場合、前記クリック回数をカウントして累積させて使用者の選好度情報を生成する。そして前記生成された選好度情報を利用して選好度リストを生成させてプレビュー窓を通じて提供する。
【０１２５】
また、前記選好度チェックモジュール１１４は前記使用者が選好度リストの選好度情報の中で所定の選好度情報にマウスポインタを位置させれば詳細情報がプレビュー窓に表示されるようにする。
【０１２６】
図１０は図９に図示されたコンテンツサービスシステムのサービス動作を説明するためのフローチャートである。
【０１２７】
図１０に図示されたように、イメージ検索／出力モジュール１１２は先に使用者の要求に応じてデータベースサーバー１２０からコンテンツを抽出し、抽出されたコンテンツのイメージをローディングしてプレビュー窓を通じて出力されるようにする（Ｓ４００）。この時、コンテンツのイメージはプレビュー窓の右側から左側の方向に移動されながら表示される。
【０１２８】
前記イメージ検索／出力モジュール１１２は前記のように使用者によりコンテンツを検索するようにする状態で使用者の操作によってキー信号が入力されるかをチェックする。
【０１２９】
そして、イメージ検索／出力モジュール１１２は前記キー信号が貯蔵命令であるかを判断する（Ｓ４１０）。判断の結果、貯蔵命令である場合（Ｓ４１０のはい）、イメージ検索／出力モジュール１１２は現在のマウスポインタが位置したイメージを認識し（Ｓ４２０）、認識されたイメージを内部貯蔵手段に貯蔵させる（Ｓ４３０）。前記Ｓ４１０過程の判断結果、貯蔵命令でない場合（Ｓ４１０のいいえ）、イメージ検索／出力モジュール１１２は前記Ｓ４００過程から再遂行する。
【０１３０】
そして、イメージ検索／出力モジュール１１２は検索が終了されたかを判断し（Ｓ４４０）、判断の結果、検索が終了された場合（Ｓ４４０のはい）、使用者からローディング命令が入力されたかを判断する（Ｓ４５０）。前記Ｓ４４０過程の判断結果、検索が終了されない場合（Ｓ４４０のいいえ）、前記Ｓ４００過程から再遂行する。
【０１３１】
一方、前記Ｓ４５０過程の判断結果、ローディング命令が入力された場合（Ｓ４５０のはい）、イメージ検索／出力モジュール１１２は貯蔵されたイメージを画面上に出力した（Ｓ４６０）後に終了する。そしてＳ４５０過程の判断結果ローディング命令が入力されない場合（Ｓ４５０のいいえ）、検索過程を終了させる。
【０１３２】
最後に、選好度のチェック過程に対して説明すれば次のようである。本発明が適用されたコンテンツサービスサーバー１１０の選好度チェックモジュール１１４は前記使用者が商品を購買するために商品イメージをクリックする場合、前記クリック回数をカウントして累積させて使用者の選好度情報を生成する。そして、前記生成された選好度情報を利用して選好度リストを生成させてプレビュー窓を通じて提供する。
【０１３３】
また、前記選好度チェックモジュール１１４は前記使用者が選好度リストの選好度情報中の所定選好度情報にマウスポインタを位置させれば、詳細な商品情報がプレビュー窓に表示されるようにする。
【０１３４】
以上、本発明の望ましい実施形態について説明したが、本発明は、上記実施形態に限定されるものではなく、本発明の要旨を逸脱しない範囲で種々の変更が可能である。
【図面の簡単な説明】
【０１３５】
【図１】本発明によるイメージを利用したコンテンツサービスシステムを説明するための図面である。
【図２】同実施形態によるイメージを利用したコンテンツサービスシステムのサービス動作を説明するためのフローチャートである。
【図３】図２において、データベース構築過程を説明するためのフローチャートである。
【図４】図２において、コンテンツ提供過程を説明するためのフローチャートである。
【図５】本発明の他の実施形態によるイメージを利用したコンテンツサービスシステムのサービス動作を説明するためのフローチャートである。
【図６】本発明によって使用者端末機に提供される画面の一例（その１）を示す。
【図７】本発明によって使用者端末機に提供される画面の一例（その２）を示す。
【図８】本発明によって使用者端末機に提供される画面の一例（その３）を示す。
【図９】本発明のさらに他の実施形態によるイメージを利用したコンテンツサービスシステムを説明するための図面である。
【図１０】図９に図示されたコンテンツサービスシステムのサービス動作を説明するためのフローチャートである。
【符号の説明】
【０１３６】
１００…ネットワーク通信網、１１０…コンテンツサービスサーバー、１１１…使用者インタフェースモジュール、１１２…イメージ検索／出力モジュール、１１３…イメージ登録モジュール、１１４…選好度チェックモジュール、１２０…データベースサーバー、１３０…使用者端末機
【図１】
2004537810.tif 000003
【図２】
2004537810.tif 000004
【図３】
2004537810.tif 000005
【図４】
2004537810.tif 000006
【図５】
2004537810.tif 000007
【図６】
2004537810.tif 000008
【図７】
2004537810.tif 000009
【図８】
2004537810.tif 000010
【図９】
2004537810.tif 000011
【図１０】
2004537810.tif 000012
【国際公開パンフレット】
2004537810.tif 000013
2004537810.tif 000014
2004537810.tif 000015
2004537810.tif 000016
2004537810.tif 000017
2004537810.tif 000018
2004537810.tif 000019
2004537810.tif 000020
2004537810.tif 000021
2004537810.tif 000022
2004537810.tif 000023
2004537810.tif 000024
2004537810.tif 000025
2004537810.tif 000026
2004537810.tif 000027
2004537810.tif 000028
2004537810.tif 000029
2004537810.tif 000030
2004537810.tif 000031
2004537810.tif 000032
2004537810.tif 000033
2004537810.tif 000034
2004537810.tif 000035
2004537810.tif 000036
2004537810.tif 000037
2004537810.tif 000038
2004537810.tif 000039
2004537810.tif 000040
2004537810.tif 000041
2004537810.tif 000042
2004537810.tif 000043
2004537810.tif 000044
2004537810.tif 000045
2004537810.tif 000046
2004537810.tif 000047
2004537810.tif 000048
2004537810.tif 000049
2004537810.tif 000050
2004537810.tif 000051
2004537810.tif 000052
2004537810.tif 000053
2004537810.tif 000054
2004537810.tif 000055
2004537810.tif 000056
2004537810.tif 000057
2004537810.tif 000058
2004537810.tif 000059
【国際調査報告】
2004537810.tif 000060